(57)【要約】【課題】調光下限時の点消灯を頻繁に繰り返すことなく、消灯制御から円滑に点灯状態に復帰させることができる照明装置を提供する。【解決手段】蛍光ランプ２ｂおよびこの蛍光ランプ２ｂを調光可能に点灯し、または消灯する点灯回路２ｃを有する照明器具２と；この照明器具２の照射面の照度を検出する照度センサ３と；照度センサの検出照度が予め設定された目標照度になるように光源の調光度を制御する調光度制御部、この調光度制御部によって、予め設定された調光下限で光源を点灯させている場合において光の無い状態において調光下限で光源を点灯させたときの照度を、目標照度に加算してなる所定の消灯制御移行照度以上に、検出照度が上昇したときに、光源を消灯させる消灯制御部およびこの消灯制御部により消灯制御された後、検出照度が目標照度以下に低下した状態が所定の遅延時間経過したときに、蛍光ランプ２ｂを点灯させる点灯制御部を有する制御装置４と；を具備している。【選択図】  図１
2010153335.tif 000002
【特許請求の範囲】
【請求項１】
光源およびこの光源を調光可能に点灯し、または消灯する点灯回路を有する照明器具と；
この照明器具の照射面の照度を検出する照度センサと；
照度センサの検出照度が予め設定された目標照度になるように光源の調光度を制御する調光度制御部、この調光度制御部によって、予め設定された調光下限で光源を点灯させている場合において外光の無い状態において調光下限で光源を点灯させたときの照度を、目標照度に加算してなる所定の消灯制御移行照度以上に、検出照度が上昇したときに、光源を消灯させる消灯制御部およびこの消灯制御部により消灯制御された後、検出照度が目標照度以下に低下した状態が所定の遅延時間経過したときに、光源を点灯させる点灯制御部を有する制御装置と；
を具備していることを特徴とする照明装置。
【請求項２】
点灯制御部は、検出照度が目標照度以下に低下したときにおける検出照度の所定時間当りの変化率に応じて、遅延時間を変化させる機能を有することを特徴とする請求項１記載の照明装置。
【発明の詳細な説明】
【技術分野】
【０００１】
本発明は、照度センサの検出照度が目標照度になるように光源の調光度をフィードバック制御する制御装置を具備した照明装置に関する。
【背景技術】
【０００２】
従来、この種の照明装置の一例としては、光源を調光下限により調光制御中に、外光（昼光）のみの照度が目標照度値を十分に上回ったときに、光源を消灯して省エネを図るものが知られている（例えば特許文献１参照）。
【０００３】
また、この照明装置では、消灯制御後、外光のみの照度が目標照度以下に下回ったときに、即座に光源を再点灯させている。
【０００４】
図５はこの従来の照明装置の消灯制御方法の原理を示すタイミングチャートであり、図中曲線Ａは照度センサにより検出された検出照度の例えば１日における時間の経過に伴う変化を示す。また、消灯制御移行照度Ｖｎ＋Ｖｏｆｆは、目標照度Ｖｎに、外光が無いときに照明器具を点灯させたときの照度、すなわち消灯制御移行可能照度Ｖｏｆｆを少なくとも加算した照度を示す。
【０００５】
そして、従来の消灯制御方法では、調光下限で調光中に、検出照度Ａが消灯制御移行照度Ｖｎ＋Ｖｏｆｆ以上に上昇すると、その時点（１）で、光源を消灯させる消灯制御が行なわれる。
【０００６】
この後、日の傾き等により、時間の経過に伴って検出照度Ａが一時的に目標照度Ｖｎ以下に低下すると、その時点（２）で直ちに光源を再点灯させる点灯制御に復帰する。すると、その光源の再点灯により明るさが再び上昇するので、検出照度Ａが再び消灯制御移行照度Ｖｎ＋Ｖｏｆｆ以上に上昇し、再び消灯制御に移行する。このために、短時間のうちに光源の点消灯が繰り返される。この後、時間の経過に伴って検出照度Ａがさらに低下すると、その時点（３）で、目標照度Ｖｎを保持するために調光制御が再開される。
【特許文献１】特開２００２−２６０８８０号公報
【発明の開示】
【発明が解決しようとする課題】
【０００７】
しかしながら、このような従来の照明装置では、消灯制御後、外光のみの照度が目標照度Ｖｎ以下に低下したときに、即座に再点灯させるので、例えば太陽光が流雲等により一時的に遮光される等、外光の僅かな照度変化により、消灯制御と点灯制御が頻繁に繰り返されることになる。このために、ユーザに不快感を与えるという課題がある。
【０００８】
本発明の目的は、調光下限時の点消灯を頻繁に繰り返すことなく、消灯制御から円滑に点灯状態に復帰することができる照明装置を提供することにある。
【課題を解決するための手段】
【０００９】
請求項１に係る照明装置は、光源およびこの光源を調光可能に点灯し、または消灯する点灯回路を有する照明器具と；この照明器具の照射面の照度を検出する照度センサと；照度センサの検出照度が予め設定された目標照度になるように光源の調光度を制御する調光度制御部、この調光度制御部によって、予め設定された調光下限で光源を点灯させている場合において外光の無い状態において調光下限で光源を点灯させたときの照度を、目標照度に加算してなる所定の消灯制御移行照度以上に、検出照度が上昇したときに、光源を消灯させる消灯制御部およびこの消灯制御部により消灯制御された後、検出照度が目標照度以下に低下した状態が所定の遅延時間経過したときに、光源を点灯させる点灯制御部を有する制御装置と；を具備していることを特徴とする。
【００１０】
本請求項１以下において、照度センサは、例えば照明器具の照射面の床面等からの反射光を受光して照度を検出するものであり、床面に照射された外光も検出する。また、照度センサは、照明器具に搭載されてもよい。さらに、制御装置も照明器具に搭載することにより、この照明器具を照明装置に構成してもよい。
【００１１】
請求項２に係る照明装置は、点灯制御部は、検出照度が目標照度以下に低下したときにおける検出照度の所定時間当りの変化率に応じて、遅延時間を変化させる機能を有することを特徴とする。
【００１２】
本請求項２以下において、例えば外光採光用窓のブラインドを閉めて外光を急激に遮光した場合のように、照度検出値の単位時間当りの変化率が大きい場合は遅延時間を短縮することができる。これとは逆に、日の傾きのように照度検出値がゆっくりと変化する場合のように照度検出値の単位時間当りの変化率が小さい場合は、遅延時間を長くすることができる。このために、検出照度の低下の変化率に応じて再点灯時間を調整できる。
【発明の効果】
【００１３】
請求項１記載の照明装置によれば、調光下限で調光中の消灯制御後、再点灯する場合は、遅延時間を置いて再点灯するので、照度検出値の僅少な変化に応じて点消灯を繰り返してユーザに不快感を与えることを防止または低減できる。
【００１４】
請求項２記載の照明装置によれば、例えば外光採光用窓のブラインドを閉めて西日等の外光を遮光した場合等のように急激に照度検出値が低下した場合には、短い遅延時間により迅速に再点灯させることができる。一方、日暮れ等のように照度検出値がゆっくりと低下する場合には、遅延時間が長いので、その間に仮に照度検出値が照度目標値を若干上回ったときでも再点灯させない。これにより、消灯制御後、検出照度が目標照度以上に上昇したときの種々の照明環境の変化に応じて再点灯時間を適宜調整できる。
【発明を実施するための最良の形態】
【００１５】
以下、本発明の実施形態を添付図面に基づいて説明する。これら添付図面中、同一相当部分には同一符号を付している。
【００１６】
図１は本発明の一実施形態に係る照明装置１の構成を示すブロック図、図２はこの照明装置の点，消灯制御方法を示すタイミングチャート、図３は図１で示す照明装置の点灯制御により日の傾きによる単位時間当りの照度検出値の変化分を求める方法を示すためのグラフ、図４は同、外光採光用窓のブラインドを閉めたときの照度検出値の変化分を求めるためのグラフである。
【００１７】
図１に示すように照明装置１は、例えば天井等に配設される照明器具２およびこの照明器具２の照射面である床面等からの反射光を受光して、その照度を検出する照度センサ３、制御装置４を具備している。照度センサ３と制御装置４の少なくとも一方は、照明器具２の器具本体２ａ内に配設されてもよい。
【００１８】
照明器具２は、その器具本体２ａに、光源の一例である蛍光ランプ２ｂと、この蛍光ランプ２ｂを調光可能に点灯し、または消灯する点灯回路２ｃとを配設している。
【００１９】
点灯回路２ｃと制御装置４は、図１中太線で示す各電力線５，５により商用電源６に電気的に接続され、制御装置４には、各信号線７，７により点灯回路２ｃと照度センサ３が接続されている。
【００２０】
制御装置４は、例えばマイクロプロセッサ等により構成され、調光制御部、消灯制御部および点灯制御部を具備している。
【００２１】
調光制御部は、予め目標照度Ｖｎをメモリに記録してあり、照度センサ３により検出された照度（検出照度）がこの目標照度でほぼ一定になるように、蛍光ランプ２ｂの調光度を、その上限と下限が予め設定されている調光範囲内でフィードバック制御する。
【００２２】
消灯制御部は、この調光制御部により蛍光ランプ２ｂを予め設定された調光下限で調光中に、外光のみの照度により目標照度Ｖｎを十分に上回り、余裕を持って維持できるときに、この蛍光ランプ２ｂを消灯させて省エネを図るものである。
【００２３】
そして、点灯制御部は、この消灯制御部による蛍光ランプ２ｂの消灯後、検出照度が再び目標照度Ｖｎ以下に下回ったときに、所定の遅延時間の経過後に、再び蛍光ランプ２ｂを点灯させる。
【００２４】
図２は上記調光、消灯および点灯の制御方法を示すタイミングチャートであり、図中、曲線Ｂは、照度センサ３により検出された照度（検出照度）を示し、横軸は例えば１日の時間の経過を示す。
【００２５】
また、図中、Ｖｏｆｆは、外光の無い状態において蛍光ランプ２ｂを調光下限で点灯させたときの照度であり、いわば消灯制御移行可能照度ということができる。
【００２６】
そして、この消灯制御移行可能照度Ｖｏｆｆと所定の余裕分を目標照度Ｖｎに加算した照度Ｖｎ＋Ｖｏｆｆは、調光制御を消灯制御に移行させる消灯制御移行照度ということができ、これら照度は予めメモリに記録されてある。
【００２７】
一方、図２中、曲線Ｃは、調光度の１日における変化を示し、曲線Ｂの１日の照度変化に対応している。
【００２８】
したがって、例えば図２中、調光制御部により、蛍光ランプ２ｂを調光下限で調光中に、検出照度Ｂが消灯制御移行照度Ｖｎ＋Ｖｏｆｆを上回ったときは、消灯制御部により、外光のみで十分に目標照度Ｖｎを達成できると判断した時点（１）で、蛍光ランプ２ｂを消灯させる。
【００２９】
この後、昼間の外光（昼光）量が増加する時間帯では、この消灯状態が継続される。しかし、日の傾き等により外光量が減少し、検出照度Ｂが目標照度Ｖｎ以下に低下すると、点灯制御部は、その時点（２）で直ちに蛍光ランプ２ｂを点灯させずに、遅延時間Ｄのカウントを開始し、この遅延時間Ｄが経過した時点（３）で、蛍光ランプ２ｂを調光下限で再点灯させる。これ以後は再び調光制御に移行する。
【００３０】
そして、遅延時間Ｄの長さは、検出照度Ｂが目標照度Ｖｎ以下に低下した時点（２）を基準として、その前後の所定の単位時間当りΔｔの検出照度Ｂの変化分（変化率）に応じて算出される。
【００３１】
すなわち、検出照度の低下は、図３に示すように、日の傾き等によりゆっくりと低下する場合や、図４に示すように例えば西日を遮光するために外光採光用窓のブラインドを閉じたとき等のように急激に低下する場合がある。
【００３２】
そこで、点灯制御手段は、検出照度Ｂが目標照度Ｖｎ以下に低下した時点（２）を基準時として、図３，図４に示すように、常時、所定時間当りΔｔ１，Δｔ２，…当りの検出照度の変化分ΔＶ１，ΔＶ２，ΔＶ３，ΔＶ４をそれぞれ算出し、予め設定してある検出照度Ｂの変化分ΔＶと、これら変化分ΔＶに対応して長さが設定されている遅延時間Ｄのデータテーブルを参照して、検出照度の変化分ΔＶに応じた遅延時間Ｄを求めるようになっている。このデータテーブルでは、遅延時間Ｄは、検出照度Ｂの変化分（率）ΔＶが大きいほど、すなわち、検出照度が急激に変化した場合ほど短く、検出照度の変化分（率）ΔＶが小さいほど長く設定されている。
【００３３】
したがって、日の傾き等により検出照度が比較的ゆっくり低下する場合には、比較的長い遅延時間Ｄを置いてから再点灯される。
【００３４】
このために、例えば流雲により外光が一時的に遮光され、その後、再び放光された場合等のように、検出照度Ｂが一時的に目標照度Ｖｎ以下に下回った後、再び検出照度Ｂが目標照度Ｖｎ以上に上回った場合でも、再点灯後、再び消灯されるような点，消灯の繰返しを未然に防止することができる。その結果、これら点，消灯の繰返しによるユーザへの不快感を防止または低減することができる。
【００３５】
一方、外光採光用窓のブラインドを閉じた場合等のように急に暗くなった場合には、即時の再点灯が求められる。そこで、この場合には、検出照度Ｂの低下による変化分ΔＶが大きいので、その分、遅延時間Ｄを短くし、あるいはゼロにする。
【００３６】
したがって、この場合は、遅延時間Ｄを置いて再点灯されるまでの時間が短いか、あるいは無いので、その分、即時または迅速に再点灯させることができる。
【図面の簡単な説明】
【００３７】
【図１】本発明の一実施形態に係る照明装置の構成を示すブロック図。
【図２】図１で示す照明装置による点，消灯制御方法を示すタイミングチャート。
【図３】図１で示す照明装置により、日の傾きによる検出照度の変化分を求める方法を示すグラフ。
【図４】図１で示す照明装置により、外光採光用窓のブラインドを閉じたときの検出照度の変化分を求める方法を示すグラフ。
【図５】従来の照明装置による点，消灯制御方法を示すタイミングチャート。
【符号の説明】
【００３８】
１…照明装置、２…照明器具、２ｂ…蛍光ランプ（光源）、２ｃ…点灯回路、３…照度センサ、４…制御装置（調光制御部、消灯制御部、点灯制御部）。
【図１】
2010153335.tif 000003
【図２】
2010153335.tif 000004
【図３】
2010153335.tif 000005
【図４】
2010153335.tif 000006
【図５】
2010153335.tif 000007